(57)【要約】【課題】少ない送風手段でも、効率的な乾燥を行うことを課題とする。【解決手段】被乾燥物１１０を搬送して乾燥させる乾燥装置１０４であって、前記被乾燥物が搬送される第一経路Ｙ１と、該第一経路とは搬送方向が異なる第二経路Ｙ２とを通過するように、前記被乾燥物を搬送する搬送手段と、前記第一経路及び前記第二経路の両方に対向する位置に配置され、該第一経路を通る被乾燥物と該第二経路を通る被乾燥物の両方に向けて送風する送風手段３０とを有する。【選択図】図２
2018154120.tif 000002
【特許請求の範囲】
【請求項１】
被乾燥物を搬送して乾燥させる乾燥装置であって、
前記被乾燥物が搬送される第一経路と、該第一経路とは搬送方向が異なる第二経路とを通過するように、前記被乾燥物を搬送する搬送手段と、
前記被乾燥物に向けて送風する送風手段と、を有し、
前記送風手段は、送風口が前記第一経路及び前記第二経路の両方に対向する位置に配置され、該第一経路を通る被乾燥物と該第二経路を通る被乾燥物の両方に向けて送風することを特徴とする乾燥装置。
【請求項２】
請求項１に記載の乾燥装置において、
前記被乾燥物の搬送方向に並べて配置された複数の加熱部材を含み、
前記第一経路は、前記被乾燥物が前記複数の加熱部材の加熱領域を通るように搬送される経路であり、
前記第二経路は、前記被乾燥物が前記第一経路で接触した前記加熱部材における別の加熱領域を通るように搬送される経路であることを特徴とする乾燥装置。
【請求項３】
請求項１に記載の乾燥装置において、
前記被乾燥物の搬送方向に並べて配置された複数の加熱部材と、該加熱部材における前記被乾燥物との接触領域の曲率よりも小さい曲率をもった曲面状の接触領域を備える曲面加熱部材とを含み、
前記第一経路は、前記被乾燥物が前記曲面加熱部材の周面に沿って搬送される経路であり、
前記第二経路は、前記第一経路の搬送方向下流であって、前記被乾燥物が前記複数の加熱部材の加熱領域を通るように搬送される経路であることを特徴とする乾燥装置。
【請求項４】
請求項１に記載の乾燥装置において、
前記被乾燥物の搬送方向に並べて配置された複数の加熱部材と、該加熱部材における前記被乾燥物との接触領域の曲率よりも小さい曲率をもった曲面状の接触領域を備える曲面加熱部材とを含み、
前記第一経路は、前記被乾燥物が前記複数の加熱部材の加熱領域を通るように搬送される経路であり、
前記第二経路は、前記第一経路の搬送方向下流であって、前記被乾燥物が前記曲面加熱部材の周面に沿って搬送される経路であることを特徴とする乾燥装置。
【請求項５】
請求項３に記載の乾燥装置において、
前記搬送手段は、前記曲面加熱部材の搬送方向上流では、前記被乾燥物が少なくとも１つの前記加熱部材の前記加熱領域を通るように搬送し、前記第二経路では、前記被乾燥物が接触した前記加熱部材のうちの少なくとも１つにおける別の加熱領域を通るように搬送することを特徴とする乾燥装置。
【請求項６】
請求項３又は５に記載の乾燥装置において、
前記複数の加熱部材は、前記曲面加熱部材の周囲に弧状に並べて配置されており、
前記第二経路は、前記複数の加熱部材の前記曲面加熱部材側の経路であることを特徴とする乾燥装置。
【請求項７】
請求項１乃至６のいずれか１項に記載の乾燥装置において、
前記搬送手段は、液体が付与されて搬送される部材を前記被乾燥物として搬送し、
前記送風手段の送風により該第一経路及び該第二経路を搬送される被乾燥物近傍から除去された気体を回収する回収手段の回収口を、前記第一経路及び前記第二経路の両方に対向する位置に配置したことを特徴とする乾燥装置。
【請求項８】
請求項７に記載の乾燥装置において、
前記回収手段は、回収した気体を凝縮させて該気体中の液体成分を回収することを特徴とする乾燥装置。
【請求項９】
請求項１乃至８のいずれか１項に記載の乾燥装置において、
前記送風手段により送風される気体の温度を、前記被乾燥物に含まれる液体成分の沸点以上に維持する温度維持手段を有することを特徴とする乾燥装置。
【請求項１０】
被乾燥物を搬送して乾燥させる乾燥装置であって、
前記被乾燥物が搬送される第一経路と、該第一経路と対向した位置にある第二経路とを通過するように、前記被乾燥物を搬送する搬送手段と、
前記被乾燥物に向けて送風する送風手段と、を有し、
前記送風手段は、送風口が前記第一経路及び前記第二経路の両方に対向する位置に配置され、該第一経路を通る被乾燥物と該第二経路を通る被乾燥物の両方に向けて送風することを特徴とする乾燥装置。
【請求項１１】
被乾燥物に液体を付与する液体付与手段と、
前記液体付与手段により液体が付与された被乾燥物を乾燥させる乾燥装置とを備えた印刷装置において、
前記乾燥装置として、請求項１乃至１０のいずれか１項に記載の乾燥装置を用いたことを特徴とする印刷装置。
【請求項１２】
被乾燥物に液体を付与する液体付与ユニットと、該液体が付与された被乾燥物を搬送して乾燥させる乾燥ユニットとを含む液体付与装置であって、
前記乾燥ユニットは、
前記被乾燥物が搬送される第一経路と、該第一経路と対向した位置にある第二経路とを通過するように、前記被乾燥物を搬送する搬送手段と、
前記被乾燥物に向けて送風する送風手段と、を有し、
前記送風手段は、送風口が前記第一経路及び前記第二経路の両方に対向する位置に配置され、該第一経路を通る被乾燥物と該第二経路を通る被乾燥物の両方に向けて送風することを特徴とする液体付与装置。
【発明の詳細な説明】
【技術分野】
【０００１】
本発明は、乾燥装置、印刷装置及び液体付与装置に関するものである。
【背景技術】
【０００２】
従来、液体が付与されたシート材などの被乾燥物を搬送して乾燥させる乾燥装置が知られている。
【０００３】
例えば、特許文献１には、液体が付与された基材（被乾燥物）が外周面に巻回され、基材を加熱しつつ回転することにより、外周面上の搬送経路に沿って基材を搬送する加熱ローラと、加熱ローラに対して基材を案内する加熱ローラよりも小径の複数の案内ローラとを配置した乾燥装置が開示されている。この乾燥装置には、加熱ローラの外周面に巻回された基材へ送風を行う送風手段が設けられている。
【発明の概要】
【発明が解決しようとする課題】
【０００４】
送風手段による送風を用いて被乾燥物を乾燥させる従来の乾燥装置では、より短時間での乾燥を実現するためには、送風手段の数を増やす必要があったため、装置が大型化するという課題があった。
【課題を解決するための手段】
【０００５】
上述した課題を解決するために、本発明は、被乾燥物を搬送して乾燥させる乾燥装置であって、前記被乾燥物が搬送される第一経路と、該第一経路とは搬送方向が異なる第二経路とを通過するように、前記被乾燥物を搬送する搬送手段と、前記被乾燥物に向けて送風する送風手段と、を有し、前記送風手段は、送風口が前記第一経路及び前記第二経路の両方に対向する位置に配置され、該第一経路を通る被乾燥物と該第二経路を通る被乾燥物の両方に向けて送風することを特徴とする。
【０００６】
本発明によれば、少ない送風手段でも、効率的な乾燥を行うことができる。
【図面の簡単な説明】
【０００７】
【図１】第１の実施形態に係る印刷装置の概略説明図である。
【図２】同印刷装置における乾燥装置の構成を示す説明図である。
【図３】同乾燥装置の加熱ローラに対する連帳紙の接触箇所の説明に供する説明図である。
【図４】同乾燥装置における加熱ローラ及び加熱ドラムに対する連帳紙の接触距離及び巻き付け角の説明に供する説明図である。
【図５】加熱ローラの直径を変化させ、連帳紙に生じるコックリングの高さ、コックリングのピッチを測定するとともに、目視で視認できるコックリングの有無を確認した結果をまとめた表である。
【図６】同乾燥装置における給排気装置の一例を模式的に示した説明図である。
【図７】第２の実施形態に係る乾燥装置の構成を示す説明図である。
【図８】第３の実施形態に係る乾燥装置の構成を示す説明図である。
【図９】第４の実施形態に係る印刷装置の概略説明図である。
【図１０】第５の実施形態に係る処理液塗布装置の概略説明図である。
【発明を実施するための形態】
【０００８】
以下、本発明の実施の形態について添付図面を参照して説明する。
まず、第１の実施形態に係る印刷装置について図１を参照して説明する。図１は同装置の概略説明図である。
【０００９】
この印刷装置は、インクジェット記録装置であり、搬送される部材（被乾燥物）としてのシート材である連帳紙１１０に対して所要の色の液体であるインクを吐出付与する液体付与手段である液体吐出ヘッドを含む液体付与部１０１を有している。
【００１０】
液体付与部１０１は、例えば、連帳紙１１０の搬送方向上流側から、４色分のフルライン型ヘッド１１１Ａ，１１１Ｂ，１１１Ｃ，１１１Ｄが配置されている。各ヘッド１１１Ａ，１１１Ｂ，１１１Ｃ，１１１Ｄは、それぞれ、連帳紙１１０に対してブラックＫ，シアンＣ、マゼンタＭ、イエローＹの液体を付与する。なお、色の種類及び数はこれに限るものではない。
【００１１】
連帳紙１１０は、元巻きローラ１０２から繰り出され、搬送部１０３の搬送ローラ１１２によって、液体付与部１０１に対向して配置された搬送ガイド部材１１３上に送り出され、搬送ガイド部材１１３で案内されて搬送される。
【００１２】
液体付与部１０１によって液体が付与された連帳紙１１０は、本実施形態に係る乾燥装置１０４を経て、排出ローラ１１４によって送られて、巻取りローラ１０５に巻き取られる。
【００１３】
次に、第１の実施形態における乾燥装置について図２も参照して説明する。
図２は、同乾燥装置の構成を示す説明図であり、図３は加熱ローラに対する連帳紙の接触箇所の説明に供する説明図である。
【００１４】
乾燥装置１０４は、加熱手段１０を構成する部材として、６個の加熱部材としての加熱ローラ１１Ａ〜１１Ｆ、曲面加熱部材としての加熱ドラム１２、加熱ローラ１１Ａ〜１１Ｆに連帳紙１１０が接触するように案内する５個の接触案内ローラ１３Ａ〜１３Ｅを備えている。また、加熱手段１０に連帳紙１１０を案内する案内ローラ１７Ａ〜１７Ｅと、連帳紙１１０を加熱ドラム１２に巻き付ける案内ローラ１７Ｆとを備えている。本実施形態では、加熱ドラム１２が連帳紙１１０に搬送力を与える搬送手段を兼ねている。なお、複数の加熱ローラ１１Ａ〜１１Ｆと案内ローラ１７Ａ〜１７Ｆは、連帳紙１１０が接触して搬送されることで連れ回る従動ローラである。
【００１５】
加熱ローラ１１Ａ〜１１Ｆは、連帳紙１１０と接触する周面（接触面１１ａ）が曲面形状である接触加熱部材である。また、接触案内ローラ１３Ａ〜１３Ｅは、連帳紙１１０を加熱ローラ１１Ｅ〜１１Ａの接触面１１ａに接触するように案内する。
【００１６】
ここで、複数の加熱ローラ１１Ａ〜１１Ｆ（以下、区別しないときは「加熱ローラ１１」という。他の部材も同様。）は、図２に示すように、弧状（湾曲状）に並べて配置されている。また、接触案内ローラ１３は隣り合う加熱ローラ１１間に配置されている。
【００１７】
ここでは、加熱ドラム１２の中心から各加熱ローラ１１の中心までの距離を同じくして配置しているが、加熱ドラム１２の中心と弧状に配置された加熱ローラ１１の弧状の曲率の中心とが一致する必要はない。
【００１８】
連帳紙１１０の搬送経路（搬送路、搬送パス）２０は、連帳紙１１０が複数の加熱ローラ１１Ａ〜１１Ｆの接触領域（加熱領域）を通りながら、すなわち、複数の加熱ローラ１１Ａ〜１１Ｆに接触しながら、第一の方向（Ｙ１方向）に搬送される上流経路Ｙ１と、加熱ドラム１２のほぼ全周に亘って巻き付けられて、加熱ドラム１２の周面に沿った第三の方向（Ｙ３方向）に搬送される第一経路である加熱ドラム搬送経路Ｙ３と、上流経路で接触した複数の加熱ローラ１１Ｅ〜１１Ａに再度接触しながら第二の方向（Ｙ２方向）に搬送される第二経路である下流経路Ｙ２とを含んでいる。
【００１９】
なお、本実施形態では、連帳紙１１０が下流経路Ｙ２を搬送されるときに２以上の加熱ローラ１１（加熱部材）接触する経路を構成しているが、１つの加熱ローラ１１（加熱部材）に接触する経路であってもよい。言い換えれば、連帳紙１１０が下流経路Ｙ２を搬送されるときには、複数の加熱ローラ１１Ａ〜１１Ｆのすべてに再度接触して搬送される必要はない。同様に、本実施形態では、連帳紙１１０が上流経路Ｙ１を搬送されるときに２以上の加熱ローラ１１（加熱部材）接触する経路を構成しているが、１つの加熱ローラ１１（加熱部材）に接触する経路であってもよい。言い換えれば、連帳紙１１０が上流経路Ｙ１を搬送されるときには、複数の加熱ローラ１１Ａ〜１１Ｆのすべてに再度接触して搬送される必要はない。また、上流経路Ｙ１の搬送中に接触する加熱ローラの数と下流経路Ｙ２の搬送中に接触する加熱ローラの数とは同数である必要もない。
【００２０】
本実施形態において、連帳紙１１０は、上流経路Ｙ１では、弧状に配置された複数の加熱ローラ１１Ａ〜１１Ｆの外側接触領域（曲率半径方向外側の周面部分ａ）に接触しながら搬送される。その後、連帳紙１１０は、加熱ドラム１２の周面に至って、加熱ドラム１２のほぼ全周に亘って巻き付けられて接触しながら加熱ドラム搬送経路Ｙ３を通った後、案内ローラ１７Ｆ及び接触案内ローラ１３Ａにて、再度、加熱ローラ１１Ｅに案内される。そして、連帳紙１１０は、弧状に配置された複数の加熱ローラ１１Ａ〜１１Ｆの内側接触領域（曲率半径方向内側の周面部分ｂ）に接触案内ローラ１３Ａ〜１３Ｅで案内されて接触しながら下流経路Ｙ２を搬送される。
【００２１】
このとき、図３に示すように、連帳紙１１０は、同時に同じ加熱ローラ１１の離間した２箇所（図３中のａ部分及びｂ部分）に接触しながら上流経路Ｙ１及び下流経路Ｙ２を搬送されることになる。このように、同じ加熱部材（加熱ローラ）の異なる２つの加熱領域（接触領域）に同時に被乾燥物である連帳紙１１０を通して加熱する。これにより、少ない加熱部材で効率的に被乾燥物を乾燥することができる。
【００２２】
特に、本実施形態では、加熱ドラム１２の周面に沿うように加熱部材を弧状に並べて配置したため、加熱部材の数を多くしても装置の小型化を図れる。そして、加熱部材の数を多くすることで乾燥速度を高めることができる。
【００２３】
本実施形態では、上流経路Ｙ１を搬送するときに、連帳紙１１０に付与されたインクの水分を蒸発（気化）させて連帳紙１１０の液体付与面に直接触れてもインクが転写されない程度まで乾燥させる。これにより、下流経路Ｙ２において、連帳紙１１０の液体付与面側に接触案内ローラ１３を配置することができる。その後、下流経路Ｙ２を搬送されることで、連帳紙１１０が巻取りローラ１０５に巻き取られるときに連帳紙１１０の表面のインクが連帳紙１１０の裏面に転移して剥がれることを防止できる状態になるまで乾燥させる。
【００２４】
また、本実施形態の乾燥装置１０４において、加熱ドラム搬送経路Ｙ３には、曲面加熱部材としての加熱ドラム１２を配置している。この加熱ドラム１２は、加熱ローラ１１の接触面（接触領域）よりも曲率の小さい曲面状の接触面（周面）を有する。加熱ドラム１２は、回転駆動され、加熱ローラ１１は搬送される連帳紙１１０に連れ回りする。そして、加熱ローラ１１Ｆと、加熱ドラム１２と、案内ローラ１７Ｆとによって、連帳紙１１０を加熱ドラム１２の周囲の７０％以上、好ましくは８０％以上の領域に巻き付ける搬送経路（搬送パス）を構成している。
【００２５】
このとき、加熱ドラム１２に対する連帳紙１１０の接触距離は，加熱ローラ１１に対する連帳紙１１０の接触距離よりも長くしている。「接触距離」は、連帳紙１１０が加熱ドラム１２、加熱ローラ１１の周方向に沿った方向（搬送方向）で周面と接触している距離である。なお、本実施形態の加熱ローラ１１のように加熱部材が接触面（接触領域）として曲面を有する曲面部材であるときには、当該曲面の周方向に沿った方向（搬送方向）で曲面と接触している距離である。
【００２６】
ここで、接触距離及び巻き付け角について図４を参照して説明する。
図４に示すように、加熱ドラム１２の周面である接触面１２ａと連帳紙１１０との接触距離Ｌ２が、加熱ローラ１１の周面である接触面１１ａと連帳紙１１０との接触距離Ｌ１よりも長くなるように搬送パスを構成している。ここでは、加熱ドラム１２の接触面１２ａに対する連帳紙１１０の巻き付け角θ２を、加熱ローラ１１の接触面１１ａに対する連帳紙１１０の巻き付け角θ１よりも大きく（θ２＞θ１）している。
【００２７】
なお、巻き付け角θ２、θ１（これを「巻き付け角θ」と総称する。）は、図４に示すように、連帳紙１１０が加熱ドラム１２及び加熱ローラ１１の接触面１２ａ，１１ａに接触を開始する点Ｐｓと接触を終了する点Ｐｅとが中心Ｏに対してなす角度の意味である。したがって、巻き付け角θが大きくなると、回転体の直径が同じであれば、接触距離も長くなり、また、巻き付け角θが同じでも、回転体の直径が大きくなるほど、接触距離は長くなる。
【００２８】
本実施形態では、加熱ドラム１２の直径を加熱ローラ１１より大きくし、かつ、巻き付け角θ２をθ１より大きくしているので、いずれにしても、加熱ドラム１２の接触面１２ａに対する連帳紙１１０の接触距離Ｌ２が加熱ローラ１１の接触面１１ａに対する連帳紙１１０の接触距離Ｌ１よりも長くなる。
【００２９】
上記のとおり、巻き付け角θが同じでも、回転体の直径が大きくなるほど、接触距離は長くなる。したがって、加熱ドラム１２と加熱ローラ１１との直径を同じにし、巻き付け角θ２をθ１より大きくするだけでも、加熱ドラム１２の接触面１２ａに対する連帳紙１１０の接触距離Ｌ２が、加熱ローラ１１の接触面１１ａに対する連帳紙１１０の接触距離Ｌ１よりも長くなる。
【００３０】
本実施形態においては、上流経路Ｙ１において加熱ローラ１１で加熱された連帳紙１１０に対して、更に加熱ドラム搬送経路Ｙ３で加熱ドラム１２によって大きな熱量を与えて加熱して乾燥させることができる。これにより、液体が付与された直後の連帳紙１１０は、上流経路Ｙ１において、まずは加熱ローラ１１に接触しながら搬送されることでコックリングを低減され、その後、加熱ドラム搬送経路Ｙ３において、加熱ドラム１２に巻き付けられるので、加熱ドラム１２の周面に密着でき、効率的な乾燥を行うことができる。
【００３１】
つまり、液体付与から時間が経過していない状態では、連帳紙１１０の強度が低下している状態であるので、連帳紙１１０の裏面側を広い範囲（長い接触距離）で回転体の周面（接触面）に密着させることが難しい。そこで、付与された液体の乾燥が進んでいない初期状態では、連帳紙１１０の加熱ローラ１１への巻き付け角を小さくして接触距離を短くしている。ここで、加熱ローラ１１の曲率を大きくすることで、連帳紙１１０の搬送時に発生する張力が加熱ローラ１１との接触部にて押し付け力に変わるために加熱ローラ１１への接触状態が均一になる。この状態において、連帳紙１１０はコックリングやシワの発生が抑制ないし矯正され、複数の加熱ローラ１１を通過するときには、連帳紙１１０上の液体に対して均一に乾燥に必要な熱供給を行うことができる状態になる。
【００３２】
このようにコックリングが抑制されて乾燥が進んでいる連帳紙１１０は、加熱ドラム１２との接触距離を長くしてもその周面（曲面）に密着させることができる。よって、複数の加熱ローラ１１の下流側に配置した加熱ドラム１２では、連帳紙１１０の接触距離を長くすることにより、連帳紙１１０に対して大きな熱供給を行って短時間で効率的な乾燥を行うことできる。
【００３３】
さらに、本実施形態では、加熱ドラム搬送経路Ｙ３の搬送方向下流側で連帳紙１１０の裏面を、下流経路Ｙ２において、加熱ローラ１１に再接触させる構成となっている。これにより、例えば、上流経路Ｙ１における加熱ローラ１１の伝熱と加熱ドラム搬送経路Ｙ３における加熱ドラム１２の伝熱とでインクの水分を蒸発させて、その後に、下流経路Ｙ２における加熱ローラ１１の伝熱によりインクの溶剤を蒸発させてインクを連帳紙１１０に定着させることができる。
【００３４】
次に、加熱ローラ１１のローラ径と連帳紙１１０のコックリングの関係の一例について図５を参照して説明する。
図５は加熱ローラ１１の直径を変化させ、連帳紙１１０に生じるコックリングの高さ、コックリングのピッチを測定するとともに、目視で視認できるコックリングの有無を確認した結果を示している。この結果から、この例では、加熱ローラ１１の直径を２００ｍｍにすることで、加熱ローラ１１の直径が２５０ｍｍであるときに比べてコックリング高さがほぼ半減し、加熱ローラ１１の直径を１００ｍｍ以下にすることで、コックリングがなくなっていることが分かる。したがって、加熱ローラ１１の直径は２００ｍｍ以下にすることが好ましく、より好ましくは１００ｍｍ以下である。
【００３５】
次に、本実施形態の乾燥装置１０４に設けられている給排気装置について説明する。
本実施形態の乾燥装置１０４には、図２に示すように、加熱ドラム１２の周面に沿うように弧状に並べて配置されている６個の加熱ローラ１１Ａ〜１１Ｆと、加熱ドラム１２の周面との間のスペースに、送風手段の一部を構成する５個の給排気装置３０Ａ〜３０Ｅが配置されている。これらの給排気装置３０は、加熱ドラム搬送経路Ｙ３を通る連帳紙１１０と下流経路Ｙ２を通る連帳紙１１０の両方に向けて送風を行う。このような送風（給気）を行うことにより、加熱ローラ１１や加熱ドラムの伝熱だけで連帳紙１１０を乾燥させる場合よりも、より短時間での乾燥を実現できる。
【００３６】
また、本実施形態の乾燥装置１０４では、連帳紙１１０の搬送経路を湾曲させたり折り返したりして、限られた装置内で連帳紙１１０を搬送するため、その搬送経路内で気化した水分や溶剤の濃度が高い。そのため、一旦は気化した水分や溶剤が連帳紙１１０に再付着して、乾燥効率の低下を招きやすい。そこで、本実施形態の給排気装置３０は、送風により連帳紙１１０の近傍から除去された空気（気化した水分や溶剤等の液体成分を含む気体）を回収（排気）する回収手段としての機能も備えている。これにより、気化した水分や溶剤が連帳紙１１０に再付着することを抑制でき、乾燥効率を向上させることができる。
【００３７】
特に、加熱ローラ１１と加熱ドラム１２の周面との間の空間には、両者から加熱されて気化した水分や溶剤を含む空気が溜まりやすい。本実施形態では、このように水分や溶剤を含む空気が溜まりやすい空間に、回収手段としての機能も備えている給排気装置３０を配置しているため、水分や溶剤を含む空気を効率よく排気することができ、乾燥効率をより向上させることができる。
【００３８】
図６は、本実施形態の給排気装置３０の一例を模式的に示した説明図である。
本実施形態の給排気装置３０は、装置内部に、送風ダクト３１と回収ダクト３２とを備えている。送風ダクト３１は、２つの送風口３１ａを有し、一方の送風口３１ａは加熱ドラム搬送経路Ｙ３を通る連帳紙１１０に対向し、他方の送風口３１ａは下流経路Ｙ２を通る連帳紙１１０に対向するように設けられている。
【００３９】
送風ダクト３１は、送風手段の一部である送風ファン等の気流発生装置３６から供給される空気を２つの送風口３１ａから図中矢印Ａのように排出することにより、加熱ドラム搬送経路Ｙ３を通る連帳紙１１０と下流経路Ｙ２を通る連帳紙１１０の両方に、空気を同時に吹き付ける。この空気の吹き付け（送風）によって、連帳紙１１０の乾燥を促進するとともに、連帳紙１１０の近傍から、気化した水分や溶剤等の液体成分を含む空気３５を除去して、液体成分の連帳紙１１０への再付着を抑制できる。
【００４０】
本実施形態の気流発生装置３６は、ヒータ等の加熱手段を備えており、送風ダクト３１の２つの送風口３１ａからは温風が吹き付けられる。これにより、連帳紙１１０の乾燥を更に促進させることができる。特に、本実施形態では、２つの送風口３１ａから吹き出す温風の温度が、インクの溶剤などの気化させる液体の沸点以上となるように、加熱手段を温度維持手段としてのコントローラ等の制御部により制御するのが好ましい。具体的には、送風ダクト３１等の温度センサを設置し、その温度センサの検知結果に基づいて、気化させる液体の沸点以上となるように、加熱手段を制御する。
【００４１】
また、本実施形態の給排気装置３０における回収ダクト３２は、２つの回収口３２ａを有し、一方の回収口３２ａは加熱ドラム搬送経路Ｙ３を通る連帳紙１１０に対向し、他方の回収口３２ａは下流経路Ｙ２を通る連帳紙１１０に対向するように設けられている。
【００４２】
回収ダクト３２は、吸気ファン等の排気装置３７により負圧状態になり、２つの回収口３２ａに図中矢印Ｂのような吸い込み気流を生じさせる。これにより、送風ダクト３１の送風口３１ａからの送風により連帳紙１１０の近傍から除去された空気３５が、２つの回収口３２ａから回収ダクト３２内に回収される。これにより、気化した水分や溶剤が連帳紙１１０に再付着することを抑制でき、乾燥効率を向上させることができる。
【００４３】
回収ダクト３２内に回収された空気は、乾燥装置１０４の外部に排気される。このとき、回収した空気を冷却する冷却手段を設けるなどして空気を冷却して凝縮させ、回収した空気中の液体成分を回収した後に、乾燥装置１０４の外部に排気するのが好ましい。
【００４４】
ところで、本実施形態の給排気装置３０が配置されるスペースは狭いので、給排気装置３０の２つの送風口３１ａから吹き付けた空気がそれぞれ連帳紙１１０で反射し、互いにぶつかり合って気流を乱し、送風（給気）による効果や回収（排気）による効果を低下させるおそれがある。
【００４５】
ここで、本実施形態では、給排気装置３０の２つの送風口３１ａから空気が吹き付けられる加熱ドラム搬送経路Ｙ３の連帳紙１１０と下流経路Ｙ２の連帳紙１１０は互いに反対方向へ搬送されている。したがって、加熱ドラム搬送経路Ｙ３の連帳紙１１０の近傍と下流経路Ｙ２の連帳紙１１０の近傍では、互いに反対方向に流れる気流が生じている。これにより、加熱ドラム搬送経路Ｙ３の連帳紙１１０と下流経路Ｙ２の連帳紙１１０とに同時に空気を吹き付けたとしても、それぞれの連帳紙１１０で反射した空気３５は、これらの気流によって互いに反対方向へと流され、互いにぶつかり合うことがない。よって、送風（給気）による効果が低下することはない。
【００４６】
また、本実施形態では、図６に示すように、給排気装置３０の２つの回収口３２ａは、それぞれに対応する２つの送風口３１ａに対し、連帳紙１１０の搬送方向下流側に配置されている。したがって、２つの送風口３１ａから吹き付けられて連帳紙１１０で反射した空気３５は、連帳紙１１０の近傍に生じている気流（搬送方向へ流れる気流）によって、給排気装置３０のそれぞれの回収口３２ａが対向する箇所へ流される。これにより、効率よく空気３５を回収ダクト３２内に回収することができる。
【００４７】
次に、本発明の第２の実施形態について図７を参照して説明する。
図７は同実施形態における乾燥装置の要部拡大説明図である。
第２の実施形態では、曲面加熱部材としての加熱ドラム１２を備えていない点で、上述した第１の実施形態とは異なっている。
【００４８】
本実施形態の乾燥装置１０４は、加熱手段１０を構成する部材として、５個の加熱部材としての加熱ローラ１１Ａ〜１１Ｅ、加熱ローラ１１Ａ〜１１Ｅに連帳紙１１０が接触するように案内する４個の接触案内ローラ１３Ａ〜１３Ｄを備えている。また、加熱手段１０に連帳紙１１０を案内する案内ローラ１７Ａ〜１７Ｅも備えている。本実施形態では、複数の加熱ローラ１１及び接触案内ローラ１３によって、連帳紙１１０の搬送経路（搬送路、搬送パス）２０が形成される。加熱ローラ１１Ａ〜１１Ｅが回転することで連帳紙１１０に搬送力を与える搬送手段を兼ねている。
【００４９】
この搬送経路２０は、連帳紙１１０が複数の加熱ローラ１１Ａ〜１１Ｅに接触しながら第一の方向（Ｙ１方向）に搬送される第一経路である上流経路Ｙ１と、上流経路Ｙ１で接触した複数の加熱ローラ１１Ｄ〜１１Ａに再度接触しながら第二の方向（Ｙ２方向）に搬送される下流経路Ｙ２とを含んでいる。なお、各経路Ｙ１，Ｙ２を構成する加熱ローラ１１（加熱部材）の数は、上述した第１の実施形態と同様に適宜設定される。
【００５０】
本実施形態において、連帳紙１１０は、上流経路Ｙ１では、弧状に配置された複数の加熱ローラ１１Ａ〜１１Ｅの外側接触領域（曲率半径方向外側の周面部分ａ）に接触しながら搬送される。その後、連帳紙１１０は、下流経路Ｙ２では、方向が転換されて、弧状に配置された複数の加熱ローラ１１Ａ〜１１Ｅの内側接触領域（曲率半径方向内側の周面部分ｂ）に接触案内ローラ１３Ａ〜１３Ｄで案内されて接触しながら搬送される。このように、同じ加熱部材（加熱ローラ）の異なる２つの加熱領域（接触領域）に同時に被乾燥物である連帳紙１１０を通して加熱するので、少ない加熱部材で効率的に被乾燥物を乾燥することができる。
【００５１】
本実施形態における送風手段の一部である給排気装置３０Ａ〜３０Ｄは、図７に示すように、弧状に並べて配置されている５個の加熱ローラ１１Ａ〜１１Ｅの間のスペースに、それぞれ１個ずつが配置されている。これらの給排気装置３０は、複数の加熱ローラ１１Ａ〜１１Ｅの外側接触領域に接触しながら搬送される連帳紙１１０と、複数の加熱ローラ１１Ｅ〜１１Ａの内側接触領域に接触しながら搬送される連帳紙１１０の両方に向けて送風を行う。このような送風（給気）を行うことにより、加熱ローラ１１の伝熱だけで連帳紙１１０を乾燥させる場合よりも、より短時間での乾燥を実現できる。
【００５２】
また、本実施形態の給排気装置３０は、上述した第１の実施形態と同様、送風により連帳紙１１０の近傍から除去された空気（気化した水分や溶剤等の液体成分を含む気体）を回収（排気）する回収手段としての機能も備えている。これにより、気化した水分や溶剤が連帳紙１１０に再付着することを抑制でき、乾燥効率を向上させることができる。
【００５３】
ただし、本実施形態においては、連帳紙１１０の液体付与面とは反対側の裏面に対して給排気装置３０による送風が行われるため、通気性の低い連帳紙１１０（厚紙等）に対しては、上述した第１の実施形態よりも乾燥効率が劣る。しかしながら、通気性の高い連帳紙１１０（薄紙等）に対しては、本実施形態においても十分な乾燥効率が得られる。
【００５４】
以上の実施形態に係る乾燥装置１０４では、複数の加熱ローラ１１を弧状（湾曲状）に並べて配置しているが、その一部又は全部を直線状に並べて配置してもよい。例えば、前記Ｙ１方向（又はＹ２方向）の途中で折れ曲がっている経路、クランク状の経路などとしてもよい。
【００５５】
次に、本発明の第３の実施形態について図８を参照して説明する。
図８は同実施形態における乾燥装置の要部拡大説明図である。
上述した第１の実施形態と第２の実施形態では、上流経路Ｙ１で連帳紙１１０が接触した加熱ローラに対し、下流経路Ｙ２で再び接触する構成であったが、第３の実施形態では、上流経路Ｙ１で連帳紙１１０が接触した加熱ローラに対し、下流経路Ｙ２では接触しない構成となっている。
【００５６】
本実施形態の乾燥装置１０４は、加熱手段１０を構成する部材として、２個の加熱部材としての加熱ローラ１１Ａ，１１Ｂと、連帳紙１１０の搬送方向を転換するための案内ローラ１７と、加熱ドラム１２とを備えている。本実施形態では、複数の加熱ローラ１１、案内ローラ１７、加熱ドラム１２によって、連帳紙１１０の搬送経路（搬送路、搬送パス）２０が形成される。加熱ドラム１２が連帳紙１１０に搬送力を与える搬送手段を兼ねている。なお、加熱ローラ１１Ａ，１１Ｂは連帳紙１１０が接触して搬送されることで連れ回る従動ローラである。
【００５７】
この搬送経路２０は、連帳紙１１０が２つの加熱ローラ１１Ａ，１１Ｂに接触しながら第一の方向（Ｙ１方向）に搬送される上流経路Ｙ１と、案内ローラ１７によって搬送方向が転換された連帳紙１１０を加熱ドラム１２に接触しながら第二の方向（Ｙ２方向）に搬送される下流経路Ｙ２とを含んでいる。上流経路Ｙ１と下流経路Ｙ２の一部は対向している。なお、上流経路Ｙ１を構成する加熱ローラ１１（加熱部材）の数は、上述した第１の実施形態と同様に適宜設定される。また、下流経路Ｙ２を構成する加熱ドラム１２に代えて、複数の加熱部材を用いてもよい。
【００５８】
本実施形態において、連帳紙１１０は、上流経路Ｙ１では、２つの加熱ローラ１１Ａ，１１Ｂに接触しながら搬送される。その後、連帳紙１１０は、案内ローラ１７によって搬送方向が転換され、下流経路Ｙ２では、加熱ドラム１２に接触しながら搬送される。
【００５９】
本実施形態における送風手段の一部である給排気装置３０は、図８に示すように、上流経路Ｙ１の加熱ローラ１１Ａ，１１Ｂと下流経路Ｙ２の加熱ドラム１２との間のスペースに配置されている。この給排気装置３０は、２つの加熱ローラ１１Ａ，１１Ｂに接触しながら搬送される連帳紙１１０と、加熱ドラム１２に接触しながら搬送される連帳紙１１０の両方に向けて送風を行う。このような送風（給気）を行うことにより、加熱ローラ１１や加熱ドラム１２の伝熱だけで連帳紙１１０を乾燥させる場合よりも、より短時間での乾燥を実現できる。
【００６０】
また、本実施形態の給排気装置３０は、上述した第１の実施形態と同様、送風により連帳紙１１０の近傍から除去された空気（気化した水分や溶剤等の液体成分を含む気体）を回収（排気）する回収手段としての機能も備えている。これにより、気化した水分や溶剤が連帳紙１１０に再付着することを抑制でき、乾燥効率を向上させることができる。
【００６１】
以上の実施形態では、送風手段と回収手段が同じ給排気装置３０によって実現されているが、送風手段と回収手段とを別々の装置で実現してもよい。
【００６２】
また、以上の実施形態では、被乾燥物を加熱部材に接触させて加熱する接触加熱手段の例であるが、ヒータ等の非接触加熱手段を用い、輻射熱等によって被乾燥物を加熱する構成であってもよい。
【００６３】
また、以上の実施形態では、複数の加熱部材（加熱ローラ１１）や曲面加熱部材（加熱ドラム１２）が回転体である例で説明しているが、その一部又は全部が回転体でないものでもよい。
【００６４】
また、以上の実施形態では、複数の加熱部材（加熱ローラ１１）が連続して並んでいる構成で説明している、途中に加熱部材以外の単なるローラ（回転体）が配置されていてもよい。
【００６５】
また、以上の実施形態では、加熱部材（加熱ローラ１１）や加熱ドラム１２を用いた熱による乾燥処理と、給排気装置３０を用いた送風による乾燥処理とを併用しているが、例えば、加熱部材（加熱ローラ１１）や加熱ドラム１２として加熱機能のない単なるローラやドラムを用い、給排気装置３０を用いた送風によって乾燥処理を行うようにしてもよい。
【００６６】
また、以上の実施形態においては、搬送される部材（被乾燥物）が連帳紙である例で説明しているが、これに限るものではなく、乾燥装置１０４の乾燥対象となり得る部材であれば特に限定されない。例えば、連続用紙、ロール紙、ウェブなどの連続体、長尺なシート材のような記録媒体（印刷物）以外にも、壁紙、プリプレグ等の電子回路基板用シートのような部材でもよい。
【００６７】
また、印刷装置によって、被乾燥物には、インク等の液体で文字や図形等の画像を記録する以外にも、加飾・装飾などを目的として、パターン等の意味を持たない画像をインク等の液体で付与してよい。
【００６８】
また、以上の実施形態においては、第二方向は第一方向と反対方向である例で説明しているが、反対方向に限定されるものではなく、第一方向に対して角度を有する方向でもよい。
【００６９】
次に、本発明の第４の実施形態に係る印刷装置について図９を参照して説明する。
図９は同印刷装置の概略説明図である。
この印刷装置は、元巻きローラ１０２と巻取りローラ１０５との間に、連帳紙１１０の一面に印刷して乾燥する第一印刷ユニット１００１と、第一印刷ユニット１００１で片面に印刷された連帳紙１１０の表裏を反転する反転ユニット１００３と、連帳紙１１０の他面に印刷して乾燥する第二印刷ユニット１００２とが配置されている。
【００７０】
第一印刷ユニット１００１及び第二印刷ユニット１００２の液体付与部１０１、搬送部１０３、乾燥装置１０４の構成は、上述した第１の実施形態や第２の実施形態や第３の実施形態のものを用いてもよいし、他の構成のものを用いてもよい。
【００７１】
ここで、第一印刷ユニット１００１の液体付与部１０１は、搬送される部材（被乾燥物）である連帳紙１１０の第一面に液体を付与する第一液体付与手段となる。第二印刷ユニット１００２の液体付与部１０１は、連帳紙１１０の第一面とは反対側の第二面に液体を付与する第二液体付与手段となる。
【００７２】
また、第一印刷ユニット１００１の乾燥装置１０４は、第一経路Ｙ１では、連帳紙１１０の第二面が加熱ローラ１１に接触する第一乾燥装置となる。第二印刷ユニット１００２の乾燥装置１０４は、上流経路Ｙ１では、連帳紙１１０の第一面が加熱ローラ１１に接触する第二乾燥装置となる。
【００７３】
次に、本発明の第５の実施形態に係る液体付与装置としての処理液塗布装置について、図１０を参照して説明する。
図１０は同処理液塗布装置２０００の概略説明図である。
この処理液塗布装置２０００は、連帳紙１１０に液体である処理液を付与する液体付与ユニットである処理液塗布ユニット２００１，２００２と、処理液が付与（塗布）された連帳紙１１０を乾燥する乾燥ユニットである乾燥装置１０４とを備えている。処理液塗布装置２０００は、例えば、上述した印刷装置の液体付与部１０１と元巻きローラ１０２との間に配置され、印刷前の連帳紙１１０に処理液を付与するものであってもよいし、上述した印刷装置の液体付与部１０１と巻取りローラ１０５との間に配置され、印刷後の連帳紙１１０に処理液を付与するものであってもよい。
【００７４】
処理液としては、例えば、連帳紙１１０の表面に付与することで連帳紙１１０の表面を改質する改質材が挙げられる。処理液は、組成的には、例えば界面活性剤（アニオン系、カチオン系、ノニオン系のいずれか、若しくはこれらを２種類以上混合させたもの）に対して、水分の浸透を促進するセルロース類（ヒドロキシプロピルセルロース等）とタルク微粉体のような基剤を加えた溶液等を用いることができる。更に微粒子を含有することもできる。
【００７５】
本実施形態では、連帳紙１１０の両面に処理液を付与するために、２つの処理液塗布ユニット２００１，２００２を備えているが、１つ又は３つ以上の処理液塗布ユニット２００１，２００２を備えていても良い。
乾燥装置１０４の構成は、上述した第１の実施形態や第２の実施形態や第３の実施形態のものを用いてもよいし、他の構成のものを用いてもよい。
本実施形態の処理液塗布装置２０００は、印刷装置以外でも適用可能である。
【００７６】
本願において、搬送される部材に付与される液体は、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００７７】
液体付与手段として液体吐出ヘッドを使用するとき、液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどを使用するものが含まれる。
【００７８】
なお、本願における印刷は、画像形成、記録、印字、印写等とも同じ意味である。
【００７９】
以上に説明したものは一例であり、次の態様毎に特有の効果を奏する。
（態様Ａ）
連帳紙１１０等の被乾燥物を搬送して乾燥させる乾燥装置１０４であって、前記被乾燥物が搬送される第一経路（加熱ドラム搬送経路Ｙ３、上流経路Ｙ１等）と、該第一経路とは搬送方向が異なる第二経路（下流経路Ｙ２等）とを通過するように、前記被乾燥物を搬送する搬送手段と、前記被乾燥物に向けて送風する給排気装置３０等の送風手段と、を有し、前記送風手段は、送風口３１ａが前記第一経路及び前記第二経路の両方に対向する位置に配置され、該第一経路を通る被乾燥物と該第二経路を通る被乾燥物の両方に向けて送風することを特徴とする。
本態様によれば、搬送手段により搬送される被乾燥物は、１つの送風手段により、第一経路を通るときと第二経路を通るときの２回、送風を受けることができる。これにより、２つの送風手段でそれぞれ１回ずつ被乾燥物を送風する構成よりも、少ない送風手段で被乾燥物への送風を行うことができる。したがって、少ない送風手段でも、効率的な乾燥を行うことができる。
【００８０】
（態様Ｂ）
前記態様Ａにおいて、前記被乾燥物の搬送方向に並べて配置された加熱ローラ１１等の複数の加熱部材を含み、前記第一経路は、前記被乾燥物が前記複数の加熱部材の加熱領域ａを通るように搬送される経路（上流経路Ｙ１等）であり、前記第二経路は、前記被乾燥物が前記第一経路で接触した前記加熱部材における別の加熱領域ｂを通るように搬送される経路（下流経路Ｙ２等）であることを特徴とする。
本態様によれば、搬送手段により搬送される被乾燥物は、第一経路を通る際に加熱部材の加熱領域で加熱され、第二経路を通る際に同じ加熱部材における別の加熱領域で再び加熱される。これにより、１つの加熱部材で被乾燥物を２回加熱できるので、２つの加熱部材でそれぞれ１回ずつ被乾燥物を加熱する構成よりも、少ない加熱部材で被乾燥物の加熱を行うことができる。したがって、本態様によれば、少ない加熱部材で、効率的な乾燥を行うことができる。
【００８１】
（態様Ｃ）
前記態様Ａにおいて、前記被乾燥物の搬送方向に並べて配置された複数の加熱部材と、該加熱部材における前記被乾燥物との接触領域の曲率よりも小さい曲率をもった曲面状の接触領域を備える曲面加熱部材とを含み、前記第一経路は、前記被乾燥物が前記曲面加熱部材の周面に沿って搬送される経路であり、前記第二経路は、前記第一経路の搬送方向下流であって、前記被乾燥物が前記複数の加熱部材の加熱領域を通るように搬送される経路であることを特徴とする。
これによれば、曲面加熱部材を用いることで、より短時間で乾燥処理を行うことができる。
【００８２】
（態様Ｄ）
前記態様Ａにおいて、前記被乾燥物の搬送方向に並べて配置された複数の加熱部材と、該加熱部材における前記被乾燥物との接触領域の曲率よりも小さい曲率をもった曲面状の接触領域を備える曲面加熱部材とを含み、前記第一経路は、前記被乾燥物が前記複数の加熱部材の加熱領域を通るように搬送される経路であり、前記第二経路は、前記第一経路の搬送方向下流であって、前記被乾燥物が前記曲面加熱部材の周面に沿って搬送される経路であることを特徴とする。
これによれば、曲面加熱部材を用いることで、より短時間で乾燥処理を行うことができる。
【００８３】
（態様Ｅ）
前記態様Ｃにおいて、前記搬送手段は、前記曲面加熱部材の搬送方向上流では、前記被乾燥物が少なくとも１つの前記加熱部材の前記加熱領域を通るように搬送し、前記第二経路では、前記被乾燥物が接触した前記加熱部材のうちの少なくとも１つにおける別の加熱領域を通るように搬送することを特徴とする。
これによれば、より短時間で乾燥処理を行うことができる。
【００８４】
（態様Ｆ）
前記態様Ｃ又はＥにおいて、前記複数の加熱部材は、前記曲面加熱部材の周囲に弧状に並べて配置されており、前記第二経路は、前記複数の加熱部材の前記曲面加熱部材側の経路であることを特徴とする。
これによれば、乾燥装置を小型化することができる。
【００８５】
（態様Ｇ）
前記態様Ａ〜Ｆのいずれかの態様において、前記搬送手段は、インク等の液体が付与されて搬送される部材を前記被乾燥物として搬送し、前記送風手段の送風により該第一経路及び該第二経路を搬送される被乾燥物近傍から除去された気体を回収する給排気装置３０等の回収手段の回収口３２ａを、前記第一経路及び前記第二経路の両方に対向する位置に配置したことを特徴とする。
これによれば、気化した液体成分が被乾燥物に再付着することを抑制でき、乾燥効率を向上させることができる。
【００８６】
（態様Ｈ）
前記態様Ｇにおいて、前記回収手段は、回収した気体を凝縮させて該気体中の液体成分を回収することを特徴とする。
これによれば、液体成分を取り除いた後の気体を外部へ排出することができる。
【００８７】
（態様Ｉ）
前記態様Ａ〜Ｈのいずれかの態様において、前記送風手段により送風される気体の温度を、前記被乾燥物に含まれる液体成分の沸点以上に維持するヒータ、温度センサ、制御部等の温度維持手段を有することを特徴とする。
これによれば、被乾燥物に含まれる液体を安定して気化させることができ、乾燥ムラを抑制できる。
【００８８】
（態様Ｊ）
連帳紙１１０等の被乾燥物を搬送して乾燥させる乾燥装置１０４であって、前記被乾燥物が搬送される第一経路（加熱ドラム搬送経路Ｙ３、上流経路Ｙ１等）と、該第一経路と対向した位置にある第二経路（下流経路Ｙ２等）とを通過するように、前記被乾燥物を搬送する搬送手段と、前記被乾燥物に向けて送風する給排気装置３０等の送風手段と、を有し、前記送風手段は、送風口３１ａが前記第一経路及び前記第二経路の両方に対向する位置に配置され、該第一経路を通る被乾燥物と該第二経路を通る被乾燥物の両方に向けて送風することを特徴とする。
本態様によれば、搬送手段により搬送される被乾燥物は、１つの送風手段により、第一経路を通るときと第二経路を通るときの２回、送風を受けることができる。これにより、２つの送風手段でそれぞれ１回ずつ被乾燥物を送風する構成よりも、少ない送風手段で被乾燥物への送風を行うことができる。したがって、少ない送風手段でも、効率的な乾燥を行うことができる。
【００８９】
（態様Ｋ）
連帳紙１１０等の被乾燥物にインク等の液体を付与させる液体付与部１０１等の液体付与手段と、前記液体付与手段により液体が付与された被乾燥物を乾燥させる乾燥装置１０４とを備えたインクジェット記録装置等の印刷装置において、前記乾燥装置として、前記態様Ａ〜Ｊのいずれかの態様に係る乾燥装置を用いたことを特徴とする。
本態様によれば、少ない送風手段でも、効率的な乾燥を行うことができる印刷装置を実現できる。
【００９０】
（態様Ｌ）
連帳紙１１０等の被乾燥物に処理液等の液体を付与する処理液塗布ユニット２００１，２００２等の液体付与ユニットと、該液体が付与された被乾燥物を搬送して乾燥させる乾燥装置１０４等の乾燥ユニットとを含む処理液塗布装置２０００等の液体付与装置であって、前記乾燥ユニットは、前記被乾燥物が搬送される第一経路と、該第一経路と対向した位置にある第二経路とを通過するように、前記被乾燥物を搬送する搬送手段と、前記被乾燥物に向けて送風する送風手段と、を有し、前記送風手段は、送風口が前記第一経路及び前記第二経路の両方に対向する位置に配置され、該第一経路を通る被乾燥物と該第二経路を通る被乾燥物の両方に向けて送風することを特徴とする。
本態様によれば、少ない送風手段でも、効率的な乾燥を行うことができる液体付与装置を実現できる。
【符号の説明】
【００９１】
１０  加熱手段
１１  加熱ローラ
１２  加熱ドラム
１３  接触案内ローラ
１７  案内ローラ
２０  搬送経路
３０  給排気装置
３１  送風ダクト
３１ａ  送風口
３２  回収ダクト
３２ａ  回収口
３６  気流発生装置
３７  排気装置
１０１  液体付与部
１０４  乾燥装置
１１０  連帳紙
１００１  第一印刷ユニット
１００２  第二印刷ユニット
１００３  反転ユニット
【先行技術文献】
【特許文献】
【００９２】
【特許文献１】特開２０１４−１５２９６４号公報
【図１】
2018154120.tif 000003
【図２】
2018154120.tif 000004
【図３】
2018154120.tif 000005
【図４】
2018154120.tif 000006
【図５】
2018154120.tif 000007
【図６】
2018154120.tif 000008
【図７】
2018154120.tif 000009
【図８】
2018154120.tif 000010
【図９】
2018154120.tif 000011
【図１０】
2018154120.tif 000012